(57)【特許請求の範囲】
【請求項１】
光書き込み型液晶ライトバルブと、前記光書き込み型液晶ライトバルブの書き込み光を発生させる書き込み映像光発生装置と、書き込み光が入射したときに入射光に応じて蓄積された電子を抜き取るためリセットパルスを前記光書き込み型液晶ライトバルブへ印加するリセットパルス発生装置と、前記光書き込み型液晶ライトバルブへ印加するリセットパルスのリセット期間を制御するリセットパルス制御回路と、前記書き込み映像光発生装置の電流を検出する電流検出回路と、前記電流検出回路によって検出された検出信号に基づいて前記書き込み映像光発生装置の光出力を制御する光出力制御回路とを備え、前記電流検出回路の電流検出期間における電流検出パルスが前記リセットパルス制御回路に入力され、前記リセットパルス制御回路の制御信号に応じて前記リセットパルス発生装置から前記電流検出期間にリセットパルスが出力されるようにして、映像光発生装置としてのＣＲＴの電流を検出する前記検出信号によって発生する不要な発光による映像への影響をなくしたことを特徴とする映像表示装置。
【発明の詳細な説明】
【０００１】
【発明の属する技術分野】
本発明は光書き込み型の液晶ライトバルブを用いた映像表示装置に関するものである。
【０００２】
【従来の技術】
近年、光書き込み型の液晶ライトバルブを用いた映像表示装置が注目されつつある。ここで、光書き込み型の液晶ライトバルブとは、書き込み光によって強度変調させられた読み出し光がライトバルブ内の反射層で反射され、投写される映像投写システムの中核を担うシステムであり、従来の透過型の液晶プロジェクタと比較して非常に明るくできるという利点がある。
【０００３】
ここで、従来の光書き込み型液晶ライトバルブの構造及び動作について簡単に述べる。
【０００４】
図６に液晶ライトバルブ１の構造図を示す。６０は書き込み光側のガラス基板、６１は書き込み光側のＩＴＯ電極、６２はアモルファスシリコンにより構成されたｐｉｎ構造のフォトダイオード（以下ａ−Ｓｉダイオードと呼ぶ）であり、書き込み光側からｐ型６３、絶縁層（Ｉ層）６４、ｎ型６５の半導体層となっている。また、６６はＡｌの読み出し光の反射膜であり、６７はカーボンで形成されたマトリックス構造の絶縁層であり、Ａｌの横方向の導通を遮断している。６８は階調表現を司る液晶層であり、強誘電液性の液晶材料を用いている。また、６９は読み出し光側のＩＴＯ電極、７０は読み出し光側のガラス基板である。７１は書き込み光、一方７２は読み出し光であり、２はライトバルブを駆動するため、二つのＩＴＯ電極間に印可するリセットパルスを発生させるリセットパルス発生回路である。
【０００５】
次に、図７に示す液晶ライトバルブを用いた映像表示装置の動作について説明する。まず液晶層６８は、電圧が印可されていない時、反射層６６で反射された読み出し光７２は、その偏光状態を完全に保持して出力され、印加電圧が増加して行くにつれ、偏光状態は徐々に変化し、ある一定以上の電圧が印可されると読み出し光７２は完全に遷移した変更状態で出力されるように配向されている。
【０００６】
ここで、図７のような構成をとるライトバルブ１の動作は書き込み光７１の強度に応じた電荷を蓄える書き込み期間と、上記電荷を引き抜くリセット期間とに分けて考えることができる。
【０００７】
書き込み期間では、読み出し光側が接地されていると仮定すると、書き込み光側ＩＴＯ電極６１にはマイナスの電圧が印可されている。つまり、ａ−Ｓｉフォトダイオード６２は逆バイアスされている。まず、書き込み光がない場合、ＩＴＯ電極間に印可されている電圧は、ほとんどがａ−Ｓｉフォトダイオード６２にかかり、液晶層６８には電圧はかかっていない状態となる。つまり、入射される読み出し光７２はその偏光状態を変化させずにそのまま反射され、出力される。書き込み光７１の強度が増加していくと、ａ−Ｓｉフォトダイオードのｐ型層６３と絶縁層６４との境界面で書き込み光７１により励起された電子が多数生成され、それらの電子はプラスの電位に引き寄せられ、つまり液晶層６８の方向に移動して行く。その結果、液晶層６８の両端に互いに反対の電荷がたまり、書き込み光７１の強度が増加して行くにつれて徐々に液晶層６８にかかる電圧は増加して行き、反射された読み出し光７２の偏光状態は変化されて出力されるようになる。
【０００８】
一方、リセット期間では、読み出し光側からみて書き込み光側ＩＴＯ電極６１にプラスの電圧を印可する。つまり、ａ−Ｓｉフォトダイオード６２は、順方向にバイアスされており、書き込み期間に蓄えられた電荷を一気に引き抜くように動作する。このリセット期間内に完全に電荷を抜き取ろうとして書き込み光側ＩＴＯ電極６１にプラスの電圧を印可すると、液晶層６８には書き込み期間とは逆の電圧が印可されることになる。よって、リセット期間内の読み出し光７２は、入射したときの偏光状態を保持したまま出力される。
【０００９】
ここで、カーボンで形成された、マトリクス状の絶縁層６７は、書き込み期間内に蓄えられた電荷がＡｌに反射膜６６を通して横方向に逃げないようにしており、その絶縁層６７により区切られた一つ一つが画素を形成している。
【００１０】
図７に上記ライトバルブ１を用いた従来の映像表示装置の構成図を示す。１は液晶ライトバルブ、２はライトバルブを駆動するリセットパルス発生回路、３は書き込み映像光発生装置であり、現在一般的にはＣＲＴが用いられ、その構成はＣＲＴ１０とそれを発光するためのＣＲＴ駆動回路１１からなる。４はＣＲＴからの映像をライトバルブ上に結像させる役割を持つ書き込みレンズ、５はビームスプリッタであり、光の偏光状態の差により、Ｓ波を反射させ、Ｐ波を透過させる。また、６は読み出し光源であり、現在一般的にはキセノンランプやメタルハライドランプが用いられる。７はスクリーン８上に映像信号を結像させる役割を持つ投写レンズである。
【００１１】
次に、上記映像表示装置の動作について述べる。ＣＲＴ３で発生した映像信号の光信号８０は、その空間的な強度分布に対応した電荷をライトバルブ１内に蓄えさせ、反射される読み出し光８３の偏光状態を決定する。光源６からは任意の偏光状態の光８１が照射されるが、ビームスプリッタ５は先に述べたとおり、Ｓ波８２を反射させ、Ｐ波８５を透過させる。つまり、ライトバルブ１へ読み出し光８２として入射される光はビームスプリッタ５を反射したＳ波だけとなる。ここで、上記のライトバルブ１の動作と重ね合わせて考えると、書き込み光８０の光強度が強い場合、液晶層６８に読み出し光側を基準にしてマイナスの電圧が強くかかった状態となり、反射される読み出し光８３は入射された時のＳ波の状態からＰ波に変化するため、ビームスプリッタ５を透過し投写レンズ７を通してスクリーン８上に映し出された映像８４は明るいものとなる。逆に、書き込み光８０が弱く、ほとんどＰ波のまま反射されるため、スクリーン上の映像８４は暗いものとなる。
【００１２】
ここで、一般に、映像表示装置には、その使用者の好みや表示する映像ソースにより、出力される映像の明暗の差（以下コントラストと呼ぶ）を調整できるようにコントラスト調整機能が備えられている。前記従来の映像表示装置では、前述したとおり、書き込み光８０の光出力を制御することでスクリーン上の映像８４のコントラストを調整することができる。特に、映像光発生装置３がＣＲＴの場合、ＣＲＴ駆動回路１１において、カソード、もしくはＧ１に印加する電圧を制御して、書き込み光８０の光出力のコントラストを制御し、スクリーン上の映像８４のコントラストを制御している。
【００１３】
ところで、映像光発生装置がＣＲＴの場合、ＣＲＴの経時変化及びＣＲＴ駆動回路の温度特性などにより光出力の時間的変動が生じる。一般に、上記光出力の時間的変動を吸収するため、ＣＲＴに流れている電流を検出しＣＲＴ駆動回路にフィードバックし光出力を一定に保つような、自動光出力制御回路が用いられている。そこで、図８を用いて、従来の自動光出力制御回路について動作の説明を行う。
【００１４】
図８において、４１はトランジスタで、ＣＲＴ駆動回路１１の電圧をＣＲＴ１０に伝達する。またそのとき、ＣＲＴに流れる電流を抵抗４２に伝える。４３はサンプルホールド回路で、ＣＲＴ１０に流れた電流により、抵抗４２に発生した電圧をある一定期間サンプルし、次の期間に到達するまでその電圧を保持する。４４はＣＲＴ駆動制御回路で、サンプルホールド回路４３で保持された電圧が一定に保たれるように、ＣＲＴ駆動回路１１から出力されるカソードもしくはＧ１に印可する電圧を制御する。
【００１５】
次に自動光出力制御回路の具体的な動作について説明する。図２の２４に示す電流検出パルスの期間、一定振幅の電圧をＣＲＴ駆動回路１１からＣＲＴ１０に印可する。その時にＣＲＴ１０に流れる電流は、トランジスタ４１を介し抵抗４２に流れ込み、抵抗４２に電圧降下が生じる。サンプルホールド回路４３によって電流検出パルス２４の期間、上記電圧をサンプルし次のサンプル期間までそれを保持し、ＣＲＴ駆動制御回路４４に伝える。ＣＲＴ駆動制御回路４４は、上記電圧を一定に保つようにＣＲＴ駆動回路１１を制御するので、ＣＲＴ１０の光出力は常に一定に保たれる。よって、電流検出期間は、一定振幅により生じる電流だけＣＲＴ１０は発光していることになる。
【００１６】
【発明が解決しようとする課題】
しかしながら、上記従来のライトバルブを用いた映像表示装置の構成では、コントラストを調整するために、ＣＲＴ駆動回路１１で、ＣＲＴ１０に印加する電圧を制御する必要があった。そのため、ＣＲＴの解像度を決定する一つの大きな要因である、ＣＲＴ駆動回路の周波数特性を劣化させていた。この場合、ＣＲＴの解像度の劣化により、スクリーン上に見える映像は少しぼけたコントラスト感のない映像になってしまうという問題を有していた。
【００１７】
また、上記従来の構成をＲＧＢ３原色用にそれぞれ一つずつ用意した構成を考えたとき、ＲＧＢ３原色の発光バランスを調節しホワイトバランスをあわせる必要があり、ＲＧＢ３原色の発光バランスを作るために、各色のＣＲＴ駆動回路１１により各色のＣＲＴに印加する電圧を制御する必要があった。そのため、さらに、ＣＲＴの解像度を劣化させる要因になっていた。
【００１８】
また、上記従来の自動光出力制御回路では、ＣＲＴに流れる電流を検出するための期間は検出信号を常に発光させる必要があり、スクリーン上の映像に常にある期間検出信号が発光するという映像表示装置として品位を損なうという問題を有していた。
【００１９】
【課題を解決するための手段】
上記問題を解決するために本発明の映像表示装置は、液晶層と読み出し光の反射層とダイオード構造を有する光半導体層とを第１の電極と第２の電極とでサンドイッチ状に挟んだ構造を有する光書き込み型液晶ライトバルブを用いた映像表示装置において、上記ライトバルブへの書き込み光を発生させる書き込み映像表示装置と、書き込み光が入射したときに、その光強度に応じた電圧を上記液晶層にかけるため、上記光半導体層に逆バイアス電圧を、また、そのときライトバルブに蓄えられた電荷を抜き取るため、リセットパルスを上記ライトバルブの第１の電極と第２の電極間に印可するリセットパルス発生回路と、コントラストを調整するため、前述の逆バイアス電圧及びリセットパルスの波高値を制御するリセットパルス制御回路を備えたものであり、これによりコントラスト感のある映像を表示し、かつ映像の品位を損なうことなく径時変化や温度特性を吸収できる。
【００２０】
【発明の実施の形態】
本発明の映像表示装置は、光書き込み型液晶ライトバルブと、前記光書き込み型液晶ライトバルブの書き込み光を発生させる書き込み映像光発生装置と、書き込み光が入射したときに入射光に応じて蓄積された電子を抜き取るためリセットパルスを前記光書き込み型液晶ライトバルブへ印加するリセットパルス発生装置と、前記光書き込み型液晶ライトバルブへ印加するリセットパルスの波高値及びバイアス電圧を可変させるリセットパルス制御回路を備えたことを特徴とする映像表示装置であり、コントラストの調整及びホワイトバランスの調整を前記ライトバルブで行えるため、ＣＲＴ駆動回路においてコントラスト制御を行うゲイン制御回路が不要となり、ＣＲＴ駆動回路の周波数特性をあげることができ、コントラスト感のある映像を表示する事ができる。
【００２１】
本発明の映像表示装置は、光書き込み型液晶ライトバルブと、前記光書き込み型液晶ライトバルブの書き込み光を発生させる書き込み映像光発生装置と、書き込み光が入射したときに入射光に応じて蓄積された電子を抜き取るためリセットパルスを前記光書き込み型液晶ライトバルブへ印加するリセットパルス発生装置と、前記光書き込み型液晶ライトバルブへ印加するリセットパルスの波高値及びバイアス電圧を可変させる複数のリセットパルス制御回路と、前記複数のリセットパルス制御回路を一括制御する発光バランス制御回路を備えたことを特徴とする映像表示装置であり、コントラストの調整及びホワイトバランスの調整を前記ライトバルブで行えるため、ＣＲＴ駆動回路においてコントラスト制御を行うゲイン制御回路が不要となり、ＣＲＴ駆動回路の周波数特性をあげることができ、コントラスト感のある映像を表示する事ができるものである。
【００２２】
本発明の請求項１に記載の発明は、光書き込み型液晶ライトバルブと、前記光書き込み型液晶ライトバルブの書き込み光を発生させる書き込み映像光発生装置と、書き込み光が入射したときに入射光に応じて蓄積された電子を抜き取るためリセットパルスを前記光書き込み型液晶ライトバルブへ印加するリセットパルス発生装置と、前記光書き込み型液晶ライトバルブへ印加するリセットパルスのリセット期間を制御するリセットパルス制御回路と、前記書き込み映像光発生装置の電流を検出する電流検出回路と、前記電流検出回路によって検出された検出信号に基づいて前記書き込み映像光発生装置の光出力を制御する光出力制御回路とを備え、前記電流検出回路の電流検出期間における電流検出パルスが前記リセットパルス制御回路に入力され、前記リセットパルス制御回路の制御信号に応じて前記リセットパルス発生装置から前記電流検出期間にリセットパルスが出力されるようにして、映像光発生装置としてのＣＲＴの電流を検出する前記検出信号によって発生する不要な発光による映像への影響をなくしたことを特徴とする映像表示装置であり、不要な発光による映像品位を損なうことなく映像を表示することができるものである。
【００２３】
本発明の一実施の形態を図面を用いて説明する。
（実施の形態１）
図１において、１は液晶ライトバルブ、２はリセットパルス発生回路、３は書き込み映像光発生装置であり、今回の発明ではＣＲＴ１０、ＣＲＴ駆動回路１１で構成されている。４はＣＲＴ１０からの書き込み光をライトバルブ上に結像させる役割をもつ書き込みレンズ、５はビームスプリッタであり、光の偏光状態の差により、Ｓ波を反射させ、Ｐ波を透過させる。また、６は読みだし光であり、本発明においてはキセノンランプが用いられている。７はスクリーン８上にライトバルブ１により反射された読みだし光を結像させるための投写レンズである。なお、本発明で用いた映像表示装置の動作及びデバイスの構造は、従来の技術の項で説明したとおりであるのでここでは省略する。また、９はリセットパルス制御回路であり、セットパルスのゲインの制御を行うゲイン制御回路１２と、リセットパルスのバイアス電圧を制御するバイアス制御回路１３より構成されている。
【００２４】
図２（ａ）は、典型的なリセットパルスの電圧波形を示す。なお、図の電圧は読みだし光側を基準にしている。波形（ａ）の書き込み期間の電圧は−３Ｖ、リセット期間の電圧は＋１５Ｖである。また、書き込み期間とリセット期間の時間比率は６０：１である。
【００２５】
ここで、本発明の動作の説明を簡単にするために、図３のライトバルブ１の等価回路を用いる。書き込み期間において、図からわかるとおり、書き込み光が増加していくにつれて、フォトダイオード３２の逆電流が増加し、Ｃｌ３４にかかる電圧は０Ｖからしだいに上がっていく。書き込み光がある一定値に達すると、フォトダイオードはショート状態になり、Ｃｌ３４にかかる電圧は３Ｖで飽和する。つまり、Ｃｌ３４に最大でかけられる電圧は、書き込み期間にライトバルブ１に印可する電圧によって決まる。そこで、書き込み期間にライトバルブ１に印可する電圧を−３Ｖからさらに下げ、例えば−５Ｖにすると、Ｃｌ３４にかかる電圧を５Ｖまで上げることができる。よって、従来の技術の項で説明したとおり、反射される読み出し光のＰ波の成分が増加することになり、スクリーン８上の映像はさらに明るくなる。一方、上記のように書き込み期間にライトバルブ１に印可する電圧を下げたとき、−２ＶだけＣｌ３４に電圧がかかっている、つまりその分だけライトバルブ１に電荷が蓄えられる。よって、リセット期間において、ライトバルブに印可する電圧が１５ｖのままだと、ライトバルブに蓄えられた電荷を十分引き抜くことができず、スクリーン８上の映像は黒レベルが浮いた状態になってしまう。そこで、書き込み期間に蓄えられた、電荷を十分引き抜くためには、リセット期間ライトバルブに印可する電圧を上げる必要があり、書き込み期間印可する電圧を−５Ｖにした場合は、１７Ｖの電圧を印可するのが適当である。上記説明でわかるとおり、ライトバルブ１に印可する電圧によってスクリーン８上の映像の明るさを制御することができる。
【００２６】
次に、本発明のリセットパルス発生回路２及びリセットパルス制御回路９について具体的に説明する。本発明の実施の形態では、映像光発生装置３はＣＲＴを用いており、ＣＲＴ１０及びＣＲＴ駆動回路１１で構成されている。また、リセットパルス制御回路９は、バイアス制御回路１３およびゲイン制御回路１２で構成される。本実施の形態では、リセットパルス発生回路２は、外部よりＣＲＴ駆動回路１１に入力される映像信号の垂直同期信号に同期したある一定振幅のパルスを、ある一定のバイアス電圧によってクランプしてリセットパルスとして、ライトバルブ１に印可する。つまり、書き込み期間にライトバルブ１に印可される電圧は、リセットパルス発生回路２のバイアス電圧で決まり、リセット期間にライトバルブ１に印可される電圧は、垂直同期信号に同期したパルスの振幅によって決まる。一方、バイアス制御回路１３は、上記で説明したリセットパルス発生回路のバイアス電圧を制御する。また、ゲイン制御回路１２は、上記したリセットパルス発生回路２のパルスの振幅を制御する。また、バイアス制御回路１３とゲイン制御回路１２の制御は互いに連動していて、バイアス電圧が−ａＶ変化するとき、パルスの振幅が＋２ａＶ変化するようになっている。つまり、書き込み期間にライトバルブ１に印可する電圧を−ａＶ下げると、リセット期間にライトバルブ１に印可される電圧は＋ａＶ上がる。よって、リセットパルス制御回路９によって、リセットパルス発生回路２のバイアス電圧及びパルスの振幅を同時に制御することができ、上記に説明したとおりスクリーン８上の映像信号の明るさつまりコントラストを制御することができる。
【００２７】
（実施の形態２）
図４において、１５−ＲはＲＧＢ３原色のうちの赤色の発光を担うライトバルブシステムであり、１は液晶ライトバルブ、２はリセットパルス発生回路、３は書き込み映像光発生装置であり、今回の発明ではＣＲＴ１０、ＣＲＴ駆動回路１１で構成されている。４はＣＲＴ１０からの書き込み光をライトバルブ上に結像させる役割をもつ書き込みレンズ、５はビームスプリッタであり、光の偏光状態の差によりＳ波を反射させ、Ｐ波を透過させる。また、６は読みだし光であり、本発明においてはキセノンランプが用いられている。７はスクリーン８で上にライトバルブ１により反射された読みだし光を結像させるための投写レンズである。１４はダイクロイックミラーであり、読み出し光６をＲＧＢ３原色に分解する。なお、本発明で用いた映像表示装置の動作及びデバイスの構造は、従来の技術の項で説明したとおりであるのでここでは省略する。また、９はリセットパルス制御回路であり、セットパルスのゲインの制御を行うゲイン制御回路１２と、リセットパルスのバイアス電圧を制御するバイアス制御回路１３より構成されている。なお、リセットパルス発生回路２及びリセットパルス制御回路９の動作は、実施の形態１で説明したとおりであり、ここでは説明を省略する。また、１５−Ｇ、１５−ＢはそれぞれＲＧＢ３原色のうちの緑色の発光、青色の発光を担うライトバルブシステムであり、構成は上記で説明した１５−Ｒと全く同一である。また、１６は発光バランス制御回路で、各色のライトバルブシステム１５のリセットパルス制御回路９のゲイン制御回路１２及びバイアス制御回路１３を制御し、各色のライトバルブ１に印可するリセットパルスの電圧を変化させる。
【００２８】
次に、上記カラーシステムの動作について説明する。発光バランス制御回路１６からの制御により、各色のライトバルブ１に印可される電圧が変化すると、各色のライトバルブシステム１５は、発光バランス制御回路１６により設定された発光バランスで発光する。各色のライトバルブシステム１５より出力された読み出し光はスクリーン８上で合成される。ここで、ライトバルブ１に印可される電圧によってライトバルブ１によって反射される読み出し光の光出力が変化する事の説明は、実施の形態１で説明したとおりである。以上のように、発光バランス制御回路１６により各色のライトバルブ１に印可する電圧を制御することにより、スクリーン上で合成された映像のホワイトバランスが調整することができる。
【００２９】
（実施の形態３）
図５において、１は液晶ライトバルブ、２はリセットパルス発生回路、３は書き込み映像光発生装置であり、本実施の形態ではＣＲＴ１０、ＣＲＴ駆動回路１１で構成されている。４はＣＲＴ１０からの書き込み光をライトバルブ上に結像させる役割をもつ書き込みレンズ、５はビームスプリッタであり、光の偏光状態の差によりＳ波を反射させ、Ｐ波を透過させる。また、６は読みだし光であり、本発明においてはキセノンランプが用いられている。７はスクリーン８上にライトバルブ１により反射された読みだし光を結像させるための投写レンズである。
【００３０】
なお、本発明で用いた映像表示装置の動作及びデバイスの構造は、従来の技術の項で説明したとおりであるのでここでは省略する。４６は電流検出回路で、トランジスタ４１、抵抗４２、サンプルホールド回路４３で構成されている。また、４４はＣＲＴ駆動制御回路である。なお、本発明で用いた自動光出力制御回路の動作は、従来の技術で説明したとおりであるのでここでは省略する。また、９はリセットパルス制御回路であり、ＣＲＴ１０の電流を検出する期間、つまり、電流検出パルス２４の期間、リセットパルス発生回路２にリセットパルスを発生させる。また、電流検出期間のリセットパルスのパルス幅をＣＲＴ１０の残光特性に合わせて制御でき、ＣＲＴの残光時間と等しいパルス幅にリセットパルスの幅を制御する。
【００３１】
ここで、本発明のリセットパルス発生回路２及びリセットパルス制御回路９の具体的動作の説明をする。自動光出力制御回路の電流検出期間、つまり電流検出信号でＣＲＴが発光しているとき、リセットパルス制御回路９は、電流検出パルス４５が与えられ、図２の２３のタイミングでリセットパルスを発生させる。よって、従来の技術のライトバルブの動作説明のとおり、電流検出期間、液晶層には電圧が印可されておらず、スクリーン８上では、電流検出信号は発光しなくなる。
【００３２】
【発明の効果】
以上のように、ライトバルブに印可する電圧を制御することにより、コントラスト調整が可能となる。また、ライトバルブのバラツキによる映像の明るさのバラツキも押さえられる。また、カラーシステムにおいて、発光バランスを制御可能となりホワイトバランスをとることができる。
【００３３】
また、自動光出力制御の検出信号の発光期間に、ライトバルブにリセットをかけることで、検出信号の発光を消去できることとなり、映像品位を損なうことなく映像を表示することができる。
【図面の簡単な説明】
【図１】本発明の実施の形態１を示す映像表示装置の構成図
【図２】リセットパルスの形状を示す図
【図３】液晶ライトバルブの等価回路図
【図４】本発明の実施の形態２を示す映像表示装置の構成図
【図５】本発明の実施の形態３を示す映像表示装置の構成図
【図６】液晶ライトバルブの構造図
【図７】従来の映像表示装置の構成図
【図８】従来の自動光出力制御回路を示す図
【符号の説明】
１  液晶ライトバルブ
２  リセットパルス発生回路
３  書き込み映像光発生装置
４  書き込みレンズ
５  ビームスプリッタ
６  光源
７  投写レンズ
８  スクリーン
９  リセットパルス制御回路
１６  発光バランス制御回路
４４  光出力制御回路
４６  電流検出回路
【図１】
0003549305.tif 000002
【図２】
0003549305.tif 000003
【図３】
0003549305.tif 000004
【図４】
0003549305.tif 000005
【図５】
0003549305.tif 000006
【図６】
0003549305.tif 000007
【図７】
0003549305.tif 000008
【図８】
0003549305.tif 000009